(57)【要約】【課題】有機性排水の流入量や処理負荷の変動にかかわらず、膜分離活性汚泥法を採用した有機性排水処理装置の施設容量を抑制しながら、適切に処理された処理水を放流可能な有機性排水処理装置の運転方法を提供する。【解決手段】無酸素槽４０と第１好気槽２０と第２好気槽５０と沈殿槽７０とを備える有機性排水処理装置の運転方法であって、有機性排水を無酸素槽に供給し、無酸素槽と第１好気槽との間で有機性排水と活性汚泥との混合液を循環させて硝化脱窒処理を行ないつつ、第１好気槽に配置された膜分離装置３０からの膜透過液を処理水として取り出すとともに、無酸素槽から第２好気槽へ混合液を送液し、さらに第２好気槽から沈殿槽へ混合液を送液し、沈殿槽７０からの固液分離液を処理水として取り出し、沈殿槽７０の汚泥を第１好気槽または無酸素槽に返送する。【選択図】図２
2020075233.tif 000002
【特許請求の範囲】
【請求項１】
無酸素槽と第１好気槽と第２好気槽と沈殿槽とを備える有機性排水処理装置の運転方法であって、
有機性排水を前記無酸素槽に供給し、前記無酸素槽と前記第１好気槽との間で有機性排水と活性汚泥との混合液を循環させて硝化脱窒処理を行ないつつ、前記第１好気槽に配置された膜分離装置からの膜透過液を処理水として取り出すとともに、
前記無酸素槽から前記第２好気槽へ混合液を送液し、さらに前記第２好気槽から前記沈殿槽へ混合液を送液し、前記沈殿槽からの固液分離液を処理水として取り出す、ことを特徴とする有機性排水処理装置の運転方法。
【請求項２】
無酸素槽と第１好気槽と第２好気槽と混合槽と沈殿槽とを備える有機性排水処理装置の運転方法であって、
有機性排水を前記混合槽に供給し、混合槽と前記無酸素槽と前記第１好気槽との間で有機性排水と活性汚泥との混合液を循環させて硝化脱窒処理を行ないつつ、前記第１好気槽に配置された膜分離装置からの膜透過液を処理水として取り出すとともに、
前記混合槽から前記第２好気槽へ混合液を送液し、さらに前記第２好気槽から前記沈殿槽へ混合液を送液し、前記沈殿槽からの固液分離液を処理水として取り出す、ことを特徴とする有機性排水処理装置の運転方法。
【請求項３】
無酸素槽と第１好気槽と兼用槽と沈殿槽とを備える有機性排水処理装置の運転方法であって、
有機性排水を前記無酸素槽に供給し、前記無酸素槽と前記第１好気槽との間で有機性排水と活性汚泥との混合液を循環させて硝化脱窒処理を行ないつつ、前記第１好気槽に配置された膜分離装置からの膜透過液を処理水として取り出すとともに、前記無酸素槽から好気処理を行なう前記兼用槽へ混合液を送液し、さらに前記兼用槽から前記沈殿槽へ混合液を送液し、前記沈殿槽からの固液分離液を処理水として取り出す第１運転状態と、
前記無酸素槽と前記第１好気槽と無酸素処理を行なう前記兼用槽との間で前記混合液を循環させて硝化脱窒処理を行いつつ、専ら前記第１好気槽に配置された膜分離装置からの膜透過液を処理水として取り出す第２運転状態と、
を備える、ことを特徴とする有機性排水処理装置の運転方法。
【請求項４】
前記沈殿槽の汚泥を前記第１好気槽へ返送する、ことを特徴とする請求項１から３の何れかに記載の有機性排水処理装置の運転方法。
【請求項５】
前記沈殿槽の汚泥を前記無酸素槽へ返送する、ことを特徴とする請求項１から３の何れかに記載の有機性排水処理装置の運転方法。
【請求項６】
前記第２好気槽または前記兼用槽から前記沈殿槽へ混合液を移送する途中または前記沈殿槽に凝集剤を添加する、ことを特徴とする請求項１から５の何れかに記載の有機性排水処理装置の運転方法。
【請求項７】
脱窒処理を行なう無酸素槽と、処理水を膜透過液として取り出す膜分離装置を備え硝化処理を行なう第１好気槽と、初期吸着処理を行なう第２好気槽と、沈殿槽と、前記無酸素槽へ有機性排水を供給する原水供給経路と、前記無酸素槽から前記第１好気槽へ有機性排水と活性汚泥の混合液を送る第１混合液経路と、前記第１好気槽から前記無酸素槽へ混合液を循環させる第１循環経路と、前記第２好気槽から前記沈殿槽へ混合液を送る第２混合液経路と、前記無酸素槽から前記第２好気槽へ混合液を送る第３混合液経路とを備える、ことを特徴とする有機性排水処理装置。
【請求項８】
脱窒処理を行なう無酸素槽と、処理水を膜透過液として取り出す膜分離装置を備え硝化処理を行なう第１好気槽と、初期吸着処理を行なう第２好気槽と、混合槽と、沈殿槽と、有機性排水を前記混合槽に供給する原水供給経路と、前記第１好気槽から前記無酸素槽へ有機性排水と活性汚泥との混合液を循環させる第１循環経路と、前記無酸素槽から前記混合槽へ混合液を循環する第２循環経路と、前記第２好気槽から前記沈殿槽へ混合液を送る第２混合液経路と、前記混合槽から前記第２好気槽へ混合液を送る第４混合液経路とを備える、ことを特徴とする有機性排水処理装置。
【請求項９】
脱窒処理を行なう無酸素槽と、処理水を膜透過液として取り出す膜分離装置を備え硝化処理を行なう第１好気槽と、兼用槽と、沈殿槽と、前記無酸素槽へ有機性排水を供給する原水供給経路と、前記無酸素槽から前記第１好気槽へ有機性排水と活性汚泥の混合液を送る第１混合液経路と、前記兼用槽から前記沈殿槽へ混合液を送る第２混合液経路と、前記無酸素槽から前記兼用槽へ混合液を送る第３混合液経路と、第１好気槽から前記無酸素槽へ混合液を循環させる第１循環経路と、前記無酸素槽から前記兼用槽へ混合液を循環させる第２循環経路と、を備え、
前記第２混合液経路を開放して、前記兼用槽を第２好気槽として機能させる第１運転状態と、前記第２混合液経路を閉塞して、前記兼用槽を第２無酸素槽として機能させる第２運転状態とに切替可能に構成されている、ことを特徴とする有機性排水処理装置。
【請求項１０】
第１仕切壁を介して上方空間に前記第１好気槽が配置され、下方空間に前記無酸素槽が配置されている請求項７から９の何れかに記載の有機性排水処理装置。
【請求項１１】
第２仕切壁を介して前記無酸素槽の下方空間に前記沈殿槽が配置されている請求項１０記載の有機性排水処理装置。
【請求項１２】
前記沈殿槽の汚泥を前記第１好気槽へ返送する、第５混合液経路を備えることを特徴とする請求項６から１１の何れかに記載の有機性排水処理装置。
【発明の詳細な説明】
【技術分野】
【０００１】
本発明は、有機性排水処理装置の運転方法及び有機性排水処理装置に関する。
【背景技術】
【０００２】
都市部で多く採用されている合流式下水処理設備は、雨水と汚水の双方を共用の下水管渠で搬送する設備であり、原水である汚水が流入する最初沈殿池と、嫌気槽と無酸素槽と好気槽を備えて嫌気無酸素好気法が行なわれる生物処理槽と、生物処理後の処理水から活性汚泥を沈殿分離する最終沈殿池を備えた活性汚泥法（ＵＣＴ法またはＡ２Ｏ法と称される。）による有機性排水処理装置が設けられていた。
【０００３】
従来の有機性排水処理装置では、雨天時に生物処理槽及び最終沈殿池の処理能力を超えた大量の汚水が一時に流入すると、最初沈殿池で固形分を沈殿除去した汚水を、その後の生物処理槽での処理を経ることなく簡易放流するように運転されていた。
【０００４】
特許文献１には、窒素濃度の高い有機性汚水を、浸漬型膜分離装置を設置した反応槽内で生物処理する膜分離活性汚泥法（MBR：Membrane Bio Reactor）を採用した有機性排水処理装置が開示されている。
【０００５】
当該有機性排水処理装置は、従来の最終沈殿池に替えて浸漬型膜分離装置を用いることにより、晴天または雨天の何れであっても処理水の水質の向上を図ることができ、さらに設備の小型化を図ることができる有機性排水処理装置として注目されている。
【０００６】
特許文献２には、最初沈殿池と、反応タンクと、最終沈殿池と、最初沈殿池と反応タンクを接続する第１の流路と、反応タンクと最終沈殿池を接続する第２の流路を含む反応系列を複数備える廃水処理システムであって、複数の反応系列中の一種の反応系列は、反応タンクが担体と膜ユニットと活性汚泥とを有し、ＭＬＳＳ濃度が５００ｍｇ／Ｌ〜７０００ｍｇ／Ｌに調整された膜分離槽を備え、第１の流路を介して反応タンクに廃水が供給され、反応タンクの処理能力を超える廃水が第２の流路を介して最終沈殿池に供給される廃水処理システムが開示されている。
【先行技術文献】
【特許文献】
【０００７】
【特許文献１】特開２００１−６２４８１号公報
【特許文献２】特開２０１１−１４７８６８号公報
【発明の概要】
【発明が解決しようとする課題】
【０００８】
ところで、膜分離活性汚泥法は膜の単位面積当たりのろ過水量に上限があるため、雨天時などの流量が急増するピークに合わせて全量をろ過可能なように施設設計を行うと過剰な設備投資となり費用対効果が低くなるという問題があった。
【０００９】
このような場合に、図９に示すように、膜分離活性汚泥法を採用した有機性排水処理装置と、上述した従来の活性汚泥法を採用した有機性排水処理装置とを混在させた有機性排水処理装置を構成しておき、汚水の流入量が増加したときに従来法の有機性排水処理装置を稼働させて流入汚水のピーク流量を処理すれば、膜分離活性汚泥法を採用した有機性排水処理装置の施設容量を抑制できるようになるのであるが、以下の問題があった。
【００１０】
即ち、従来の活性汚泥法は膜分離活性汚泥法よりも処理水質が劣るため、平時は膜分離活性汚泥法のみで処理を行う方が望ましいが、雨天時などの特定の期間だけ短時間で従来の活性汚泥法を採用した有機性排水処理装置を立ち上げて処理することはできないため、常に膜分離活性汚泥法を採用した有機性排水処理装置と従来法を採用した有機性排水処理装置を並列で運転することが求められ、各系列への流入汚水の分配量を決める作業が煩雑であった。
【００１１】
また、従来法では一般的に固液分離が沈殿池で行なわれることになるが、良好に固液分離するために沈殿池のＭＬＳＳ濃度を３０００ｍｇ／Ｌ以下に抑えることが必要であった。そのため、ＭＬＳＳ濃度が８０００〜１００００ｍｇ／Ｌと従来法に比して高い膜分離活性汚泥法を採用した好気槽からの汚泥を沈殿池に導いても良好に固液分離することができず、汚泥が処理水側に流出してしまうという問題もあった。
【００１２】
そこで、膜分離活性汚泥法を採用しながらもＭＬＳＳ濃度を下げて沈澱池での固液分離性能を確保するために、特許文献２に記載されたように、担体を添加して処理能力を維持する方法を採用すると、流量が増加した際に担体の沈殿池への流出を防止するスクリーンが担体で閉塞されてしてしまうという問題があった。
【００１３】
また、既設の従来法を採用する有機性排水処理装置を、その土木躯体を用いて膜分離活性汚泥法を採用する新たな有機性排水処理装置に改築する場合、膜分離活性汚泥法では不要となる最終沈殿池の土木躯体も有効に活用することが望まれるが、一般的に最終沈殿池の池水深は比較的浅く、また縦に長い水槽形状であるために、膜分離装置を浸漬配置するＭＢＲの反応タンクとしては活用し難く、活用したとしてもそれほど大きく処理水量を増やすことができなかった。
【００１４】
本発明の目的は、上述した問題点に鑑み、有機性排水の流入量や処理負荷の変動にかかわらず、膜分離活性汚泥法を採用した有機性排水処理装置の施設容量を抑制しながら、適切に処理された処理水を放流可能な有機性排水処理装置の運転方法及び有機性排水処理装置を提供する点にある。
【課題を解決するための手段】
【００１５】
上述の目的を達成するため、本発明による有機性排水処理装置の運転方法の第一の特徴構成は、無酸素槽と第１好気槽と第２好気槽と沈殿槽とを備える有機性排水処理装置の運転方法であって、有機性排水を前記無酸素槽に供給し、前記無酸素槽と前記第１好気槽との間で有機性排水と活性汚泥との混合液を循環させて硝化脱窒処理を行ないつつ、前記第１好気槽に配置された膜分離装置からの膜透過液を処理水として取り出すとともに、前記無酸素槽から前記第２好気槽へ混合液を送液し、さらに前記第２好気槽から前記沈殿槽へ混合液を送液し、前記沈殿槽からの固液分離液を処理水として取り出す点にある。
【００１６】
無酸素槽に供給された有機性排水が活性汚泥とともに膜分離装置が配置された第１好気槽との間で循環されることにより硝化脱窒処理され、膜分離装置から混合液の液分が処理水として取り出される。さらに無酸素槽から混合液の一部が第２好気槽へ送液されて第２好気槽で初期吸着処理され、さらに沈殿槽に送られた混合液が沈澱槽で固液分離されて上澄みが処理水として取り出される。無酸素槽を介して第１好気槽と第２好気槽のＭＬＳＳ濃度を個別に調整することによって、第１好気槽では膜分離に適した高いＭＬＳＳ濃度に調整しつつ、第２好気槽では沈澱槽での固液分離に適した低いＭＬＳＳ濃度に調整できる。
【００１７】
なお、初期吸着とは、活性汚泥中の好気性微生物が分泌する粘着性のゼラチン物質によって有機排水中の微粒子及び溶解性有機物が活性汚泥の表面に物理吸着される現象、及び物理吸着した有機物が速やかに微生物に取り込まれる生物吸着現象をいい、活性汚泥と有機性排水が接触した後、数十分でＢＯＤが大きく減少する。
【００１８】
この様に、膜に拠る固液分離と従来の沈殿槽に拠る固液分離を混在させることにより、全量をＭＢＲで処理する場合に要する膜分離装置の設置台数を削減して、経済性の良い有機性排水処理装置により効率的に浄化処理できるようになる。
【００１９】
同第二の特徴構成は、無酸素槽と第１好気槽と第２好気槽と混合槽と沈殿槽とを備える有機性排水処理装置の運転方法であって、有機性排水を前記混合槽に供給し、混合槽と前記無酸素槽と前記第１好気槽との間で有機性排水と活性汚泥との混合液を循環させて硝化脱窒処理を行ないつつ、前記第１好気槽に配置された膜分離装置からの膜透過液を処理水として取り出すとともに、前記混合槽から前記第２好気槽へ混合液を送液し、さらに前記第２好気槽から前記沈殿槽へ混合液を送液し、前記沈殿槽からの固液分離液を処理水として取り出す点にある。
【００２０】
混合槽に供給された有機性排水が活性汚泥とともに無酸素槽を介して膜分離装置が配置された第１好気槽に送液され、混合槽、無酸素槽、第１好気槽の間で循環されることにより硝化脱窒処理され、膜分離装置から混合液の液分が処理水として取り出される。さらに混合槽から混合液の一部が第２好気槽へ送液されて第２好気槽で初期吸着処理され、さらに沈殿槽に送られた混合液が沈澱槽で固液分離されて上澄みが処理水として取り出される。混合槽を介して第１好気槽と第２好気槽のＭＬＳＳ濃度を個別に調整することによって、第１好気槽では膜分離に適した高いＭＬＳＳ濃度に調整しつつ、第２好気槽では沈澱槽での固液分離に適した低いＭＬＳＳ濃度に調整でき、しかも、第１好気槽と無酸素槽の間での混合液の循環量を増すことにより脱窒反応に伴うアルカリ度の回復が図られ、第２好気槽への影響を与えることなく、硝化処理が行なわれる第１好気槽におけるｐＨの低下を回避できる。
【００２１】
同第三の特徴構成は、無酸素槽と第１好気槽と兼用槽と沈殿槽とを備える有機性排水処理装置の運転方法であって、有機性排水を前記無酸素槽に供給し、前記無酸素槽と前記第１好気槽との間で有機性排水と活性汚泥との混合液を循環させて硝化脱窒処理を行ないつつ、前記第１好気槽に配置された膜分離装置からの膜透過液を処理水として取り出すとともに、前記無酸素槽から好気処理を行なう前記兼用槽へ混合液を送液し、さらに前記兼用槽から前記沈殿槽へ混合液を送液し、前記沈殿槽からの固液分離液を処理水として取り出す第１運転状態と、前記無酸素槽と前記第１好気槽と無酸素処理を行なう前記兼用槽との間で前記混合液を循環させて硝化脱窒処理を行いつつ、専ら前記第１好気槽に配置された膜分離装置からの膜透過液を処理水として取り出す第２運転状態と、を備える点にある。
【００２２】
有機性排水量が十分である場合に、兼用槽が好気槽として機能する第１運転状態で処理され、無酸素槽に供給された有機性排水が活性汚泥とともに膜分離装置が配置された第１好気槽との間で循環されることにより硝化脱窒処理され、膜分離装置から混合液の液分が処理水として取り出される。さらに無酸素槽から混合液の一部が兼用槽へ送液されて好気処理として初期吸着処理され、さらに沈殿槽に送られた混合液が沈澱槽で固液分離されて上澄みが処理水として取り出される。有機性排水量が少ない場合に、兼用槽が無酸素槽として機能する第２運転状態で処理され、無酸素槽と第１好気槽と無酸素処理を行なう兼用槽との間で混合液が循環されて硝化脱窒処理を行ないつつ、専ら第１好気槽に配置された膜分離装置からの膜透過液が処理水として取り出される。
【００２３】
同第四の特徴構成は、上述の第一から第三の何れかの特徴構成に加えて、前記沈殿槽の汚泥を前記第１好気槽へ返送する点にある。
【００２４】
沈殿槽から第１好気槽へ汚泥を返送することにより、膜分離装置が設置された第１好気槽のＭＬＳＳ濃度の低下を回避することができる。そして、沈殿分離された汚泥はＢＯＤを吸着した状態にあるため、初期吸着性能が失われているが、第１好気槽に返送されて低負荷状態で好気処理されることにより、初期吸着されたＢＯＤの分解が促進されて、汚泥の初期吸着性能が回復されるようになる。
【００２５】
同第五の特徴構成は、上述の第一から第三の何れかの特徴構成に加えて、前記沈殿槽の汚泥を前記無酸素槽へ返送する点にある。
【００２６】
無酸素槽へ返送された沈殿分離汚泥に残存するＢＯＤが脱窒用有機源として有効活用され、さらに当該汚泥が第１好気槽に移送されて低負荷状態で好気処理されることにより、汚泥の初期吸着性能が回復されるようになる。
【００２７】
同第六の特徴構成は、上述の第一から第五の何れかの特徴構成に加えて、前記第２好気槽または前記兼用槽から前記沈殿槽へ混合液を移送する途中または前記沈殿槽に凝集剤を添加する点にある。
【００２８】
第２好気槽または前記兼用槽から沈殿槽へ混合液を移送する途中または沈殿槽に凝集剤を添加することにより、処理水に対するＣＯＤや脱リン効果と、汚泥の沈澱分離効果を高めることができる。
【００２９】
本発明による有機性排水処理装置の第一の特徴構成は、脱窒処理を行なう無酸素槽と、処理水を膜透過液として取り出す膜分離装置を備え硝化処理を行なう第１好気槽と、初期吸着処理を行なう第２好気槽と、沈殿槽と、前記無酸素槽へ有機性排水を供給する原水供給経路と、前記無酸素槽から前記第１好気槽へ有機性排水と活性汚泥の混合液を送る第１混合液経路と、前記第１好気槽から前記無酸素槽へ混合液を循環させる第１循環経路と、前記第２好気槽から前記沈殿槽へ混合液を送る第２混合液経路と、前記無酸素槽から前記第２好気槽へ混合液を送る第３混合液経路と、を備える点にある。
【００３０】
同第二の特徴構成は、脱窒処理を行なう無酸素槽と、処理水を膜透過液として取り出す膜分離装置を備え硝化処理を行なう第１好気槽と、初期吸着処理を行なう第２好気槽と、混合槽と、沈殿槽と、有機性排水を前記混合槽に供給する原水供給経路と、前記第１好気槽から前記無酸素槽へ有機性排水と活性汚泥との混合液を循環させる第１循環経路と、前記無酸素槽から前記混合槽へ混合液を循環する第２循環経路と、前記第２好気槽から前記沈殿槽へ混合液を送る第２混合液経路と、前記混合槽から前記第２好気槽へ混合液を送る第４混合液経路とを備える点にある。
【００３１】
同第三の特徴構成は、脱窒処理を行なう無酸素槽と、処理水を膜透過液として取り出す膜分離装置を備え硝化処理を行なう第１好気槽と、兼用槽と、沈殿槽と、前記無酸素槽へ有機性排水を供給する原水供給経路と、前記無酸素槽から前記第１好気槽へ有機性排水と活性汚泥の混合液を送る第１混合液経路と、前記兼用槽から前記沈殿槽へ混合液を送る第２混合液経路と、前記無酸素槽から前記兼用槽へ混合液を送る第３混合液経路と、第１好気槽から前記無酸素槽へ混合液を循環させる第１循環経路と、前記無酸素槽から前記兼用槽へ混合液を循環させる第２循環経路と、を備え、前記第２混合液経路を開放して、前記兼用槽を第２好気槽として機能させる第１運転状態と、前記第２混合液経路を閉塞して、前記兼用槽を第２無酸素槽として機能させる第２運転状態とに切替可能に構成されている点にある。
【００３２】
同第四の特徴構成は、上述の第一から第三の何れかの特徴構成に加えて、第１仕切壁を介して上方空間に前記第１好気槽が配置され、下方空間に前記無酸素槽が配置されている点にある。
【００３３】
無酸素槽が配置された敷地の上方空間に第１好気槽が配置されることにより、空間利用率が高まり、有機性排水処理装置の敷地を効率的に活用できるようになる。
【００３４】
同第五の特徴構成は、上述の第四の特徴構成に加えて、第２仕切壁を介して前記無酸素槽の下方空間に前記沈殿槽が配置されている点にある。
【００３５】
さらに、空間利用率を高めることができる。
【００３６】
同第六の特徴構成は、上述の第一から第五の何れかの特徴構成に加えて、前記沈殿槽の汚泥を前記第１好気槽へ返送する、第５混合液経路を備える点にある。
【発明の効果】
【００３７】
以上説明した通り、本発明によれば、有機性排水の流入量や処理負荷の変動にかかわらず、膜分離活性汚泥法を採用した有機性排水処理装置の施設容量を抑制しながら、適切に処理された処理水を放流可能な有機性排水処理装置の運転方法及び有機性排水処理装置を提供することができるようになった。
【図面の簡単な説明】
【００３８】
【図１】本発明による有機性排水処理装置の全体構成の説明図
【図２】第１の実施形態による有機性排水処理装置の説明図
【図３】第２の実施形態による有機性排水処理装置の説明図
【図４】第２の実施形態の他の態様を示す有機性排水処理装置の説明図
【図５】第３の実施形態による有機性排水処理装置の説明図
【図６】第４の実施形態による有機性排水処理装置の説明図
【図７】第５の実施形態による有機性排水処理装置の説明図
【図８】第６の実施形態による有機性排水処理装置の説明図
【図９】（ａ）は、第７の実施形態による有機性排水処理装置の説明図、（ｂ）は循環式ＭＢＲの説明図
【図１０】従来の有機性排水処理設備の運転方法の説明図
【発明を実施するための形態】
【００３９】
以下、本発明による有機性排水処理装置の運転方法及び有機性排水処理装置を、図面に基づいて説明する。
図１に示すように、有機性排水処理装置１００は、下水などの有機性排水を原水として導入して生物処理により浄化して河川などに放流するための装置であり、最初沈澱池１０と、ＭＢＲを採用した６系統の生物処理槽２０，４０，５０と、最終沈澱池７０と、消毒槽９０などを備えている。
【００４０】
５系統の最初沈澱池１０の沈後水が、スクリーン機構を備えたスクリーン井１１に送られて夾雑物が除去された後に、活性汚泥が充填された各生物処理槽２０，４０，５０に均等に送水される。各系統の生物処理槽２０，４０，５０では、ＭＢＲと従来の活性汚泥法が併用されるように構成されている。
【００４１】
［第１の実施形態］
図２には、図１で示した生物処理槽の１系統の構成が示されている。
当該有機性排水処理装置１００は、最初沈澱池１０と、脱窒処理を行なう無酸素槽４０と、処理水を膜透過液として取り出す膜分離装置３０を備え硝化処理を行なう第１好気槽２０と、初期吸着処理を行なう第２好気槽５０と、最終沈澱池７０を備えている。
【００４２】
最終沈澱池７０が本発明の沈殿槽７０として機能し、当該沈殿槽７０には沈澱効率の向上のために傾斜板７１を備えている。また、無酸素槽４０には槽内の活性汚泥と有機性排水とを撹拌するための撹拌機構が設けられ、第２好気槽５０には好気処理を行なうための散気装置が設けられている。なお、図２には、図１で示したスクリーン井が省略されている。
【００４３】
そして、無酸素槽４０へ沈後水である有機性排水を供給する原水供給経路１と、無酸素槽４０から第１好気槽２０へ有機性排水と活性汚泥の混合液を送る第１混合液経路２と、第１好気槽２０から無酸素槽へ混合液を循環させる第２混合液経路３と、第２好気槽５０から沈殿槽７０へ混合液を送る第３混合液経路４と、無酸素槽４０から第２好気槽へ混合液を送る第４混合液経路５と、沈殿槽７０の汚泥を第１好気槽２０へ返送する汚泥返送経路６を備えている。
【００４４】
当該有機性排水処理装置１００では、有機性排水を無酸素槽４０に供給し、無酸素槽４０と第１好気槽２０との間で有機性排水と活性汚泥との混合液を循環させて硝化脱窒処理を行ないつつ、第１好気槽２０に配置された膜分離装置３０からの膜透過液を処理水として取り出すとともに、無酸素槽４０から第２好気槽５０へ混合液を送液し、さらに第２好気槽５０から沈殿槽７０へ混合液を送液し、沈殿槽７０からの固液分離液を処理水として取り出すように運転される。
【００４５】
無酸素槽４０に供給された有機性排水が活性汚泥とともに膜分離装置３０が配置された第１好気槽２０との間で第１混合液経路２及び第２混合液経路３を介して循環されることにより、第１好気槽２０でアンモニア性窒素が硝酸性窒素に硝化処理されるとともに無酸素槽４０で硝酸性窒素が窒素に還元される脱窒処理が実行され、膜分離装置３０から混合液の液分が処理水として取り出される。
【００４６】
さらに無酸素槽４０から混合液の一部が第２好気槽５０へ送液されて第２好気槽５０で初期吸着処理され、さらに沈殿槽７０に送られた混合液が沈澱槽で固液分離されて上澄みが処理水として取り出される。
【００４７】
なお、初期吸着とは、活性汚泥中の好気性微生物が分泌する粘着性のゼラチン物質によって有機排水中の微粒子及び溶解性有機物が活性汚泥の表面に物理吸着される現象、及び、物理吸着した有機物が速やかに微生物に取り込まれる生物吸着現象をいい、活性汚泥と有機性排水が接触した後、数十分でＢＯＤが大きく減少する。
【００４８】
沈殿槽７０の汚泥界面を汚泥界面計でモニタリングしておき、汚泥界面の上昇により固液分離に障害が出る懸念が出てきた場合は、膜ろ過装置３０の流量を引き上げて沈殿槽７０への配水量を抑制するように制御される。沈殿槽７０からの汚泥の流出が防止され、処理水質が良好に保たれる。この様に沈殿槽７０による固液分離の活用により膜ろ過装置３０の高Ｆｌｕｘ運転時間が短縮されるようになり、膜の閉塞スピードが抑制され、薬液洗浄頻度も低減される。
【００４９】
無酸素槽４０を介して第１好気槽２０と第２好気槽５０のＭＬＳＳ濃度を個別に調整することによって、第１好気槽２０では膜分離に適した高いＭＬＳＳ濃度に調整しつつ、第２好気槽５０では沈澱槽での固液分離に適した低いＭＬＳＳ濃度に調整できる。
【００５０】
本実施形態では、原水である有機性排水の流入量１Ｑに対して、第１好気槽２０で０．５Ｑの処理水量に設定し、沈殿槽７０から第１好気槽２０への返送量を０．５Ｑに設定し、第１好気槽２０から無酸素槽４０への循環量を０．４Ｑに設定することにより、第１好気槽２０のＭＬＳＳ濃度を１０，０００ｍｇ／Ｌ、無酸素槽４０のＭＬＳＳ濃度を３，０００ｍｇ／Ｌ、第２好気槽５０のＭＬＳＳ濃度を３，０００ｍｇ／Ｌに調整し、沈殿槽７０での固液分離性能を確保している。
【００５１】
その結果、膜分離装置３０による膜ろ過が必要な水量が引き下げられ、膜分離装置３０の台数の削減、ひいてはコストの低減効果が得られるようになる。また、ＭＢＲ単独で運転する場合に問題となる低水温期に汚泥中に蓄積する難分解の溶解性ＣＯＤが沈澱槽７０から処理水として流出することで、汚泥の膜ろ過性が改善し設計Ｆｌｕｘを引き上げられるようになる。
【００５２】
なお、上述した各槽のＭＬＳＳ濃度は例示であり、この値に制限されるものではない。また、第２好気槽５０で処理される水量は基本的には成り行きで決定されればよく、細かい流量の制御が不要となる点で、図８に示した従来の有活性汚泥法と膜分離活性汚泥法とを混在させた有機性排水処理装置よりも維持管理の手間が軽減される。
【００５３】
さらに、既設の有機性排水処理装置１００をＭＢＲに改築する際に、既設の構造躯体に備えた梁やＹウォールなどの影響で、膜分離装置３０の設置に空間的な制約が生じる場合がある。そのような場合に有機性排水の全量をＭＢＲで処理するよりも処理能力を増加できるようになる。
【００５４】
ところで、第２好気槽５０から沈殿槽７０を経て放流される処理水は脱窒作用が見込まれないため、膜分離装置３０で膜ろ過される処理水が十分に脱窒処理されている必要がある。そして、無酸素槽４０と第１好気槽２０との間で循環され、膜分離装置３０で膜ろ過される被処理水が良好に脱窒処理されるためには、充分な量のＢＯＤが必要となる。しかし、有機性排水のＢＯＤ濃度が窒素濃度に対して相対的に低い場合（理論上では、ＢＯＤ／Ｎ≦２．８６）には、十分な脱窒処理を行なうことができない。
【００５５】
そのような場合には、沈殿槽７０の汚泥を第１好気槽２０へ返送する汚泥返送経路６に代えて、沈殿槽７０の汚泥を無酸素槽４０へ返送する汚泥返送経路６Ａを備えることが好ましい（図２中、破線で示す。）。
【００５６】
無酸素槽４０へ返送された沈殿分離汚泥に残存するＢＯＤが脱窒用有機源として有効活用され、さらに当該汚泥が第１好気槽２０に移送されて低負荷状態で好気処理されることにより、初期吸着性能が回復された汚泥が第２好気槽５０に供給されるようになる。結果的に、ＢＯＤ濃度が窒素濃度に対して相対的に低い場合であっても放流される処理水の窒素濃度の低下を実現できるようになる。
【００５７】
［第２の実施形態］
図３には、図１で示した生物処理槽の１系統の構成が示されている。図３には、有機性排水の流入量Ｑを基準とする各部の流量が示されている。
当該有機性排水処理装置１００は、最初沈澱池１０と、脱窒処理を行なう無酸素槽４０と、処理水を膜透過液として取り出す膜分離装置３０を備え硝化処理を行なう第１好気槽２０と、初期吸着処理を行なう第２好気槽５０と、混合槽６０と、最終沈澱池（沈殿槽）７０を備えている。
【００５８】
有機性排水を混合槽６０に供給する原水供給経路１と、混合槽６０から無酸素槽４０に有機性排水と活性汚泥の混合液を送る第８混合経路９と、無酸素槽４０から第１好気槽２０へ有機性排水と活性汚泥の混合液を送る第１混合液経路２と、第１好気槽２０から無酸素槽４０へ有機性排水と活性汚泥との混合液を循環させる第２混合液経路３と、無酸素槽４０から混合槽６０へ混合液を循環する第６混合液経路７と、第２好気槽５０から沈殿槽７０へ混合液を送る第３混合液経路４と、混合槽６０から第２好気槽へ混合液を送る第７混合液経路８と、沈殿槽７０の汚泥を第１好気槽２０へ返送する汚泥返送経路６を備えている。
【００５９】
当該有機性排水処理装置１００では、有機性排水を混合槽６０に供給し、混合槽６０と無酸素槽４０と第１好気槽２０との間で有機性排水と活性汚泥との混合液を循環させて硝化脱窒処理を行ないつつ、第１好気槽２０に配置された膜分離装置３０からの膜透過液を処理水として取り出すとともに、混合槽６０から第２好気槽５０へ混合液を送液し、さらに第２好気槽５０から沈殿槽７０へ混合液を送液し、沈殿槽７０からの固液分離液を処理水として取り出すように運転される。
【００６０】
混合槽６０に供給された有機性排水が活性汚泥とともに無酸素槽４０を介して膜分離装置３０が配置された第１好気槽２０に送液され、混合槽６０、無酸素槽４０、第１好気槽２０の間で循環されることにより硝化脱窒処理され、膜分離装置３０から混合液の液分が処理水として取り出される。
【００６１】
さらに混合槽６０から混合液の一部が第２好気槽５０へ送液されて第２好気槽５０で初期吸着処理され、さらに沈殿槽７０に送られた混合液が沈澱槽７０で固液分離されて上澄みが処理水として取り出される。
【００６２】
上述した第１の実施形態では、第２好気槽５０のＭＬＳＳ濃度を沈殿槽７０による固液分離に適した値に調整するために、第１好気槽２０から無酸素槽４０に返送される汚泥の量が制限される結果、充分なアルカリ度の回復がなされず、硝化処理が行なわれる第１好気槽２０のｐＨ値が下がる。
【００６３】
しかし、第２の実施形態では、混合槽６０を設けているため、第１好気槽２０から無酸素槽４０への混合液の循環量を増しても、第２好気槽５０への影響を与えることなく（ＭＬＳＳ濃度の上昇を来すことなく）、第１好気槽２０におけるｐＨの異常な低下を回避することができるようになる。
【００６４】
本実施形態では、原水である有機性排水の流入量１Ｑに対して、第１好気槽２０で０．６Ｑの処理水量に設定し、沈殿槽７０から第１好気槽２０への返送量を０．２Ｑに設定し、第１好気槽２０から無酸素槽４０への循環量を２Ｑに設定し、無酸素槽４０から混合槽６０への循環量を０．３５Ｑに設定することにより、第１好気槽２０のＭＬＳＳ濃度を１０，０００ｍｇ／Ｌ、無酸素槽４０のＭＬＳＳ濃度を７，８００ｍｇ／Ｌ、第２好気槽５０のＭＬＳＳ濃度を２，０００ｍｇ／Ｌに調整し、沈殿槽７０での固液分離性能を確保している。
【００６５】
第１の実施形態と同様に、沈殿槽７０の汚泥を第１好気槽２０へ返送する汚泥返送経路６に代えて、沈殿槽７０の汚泥を無酸素槽４０へ返送する汚泥返送経路６Ａを備えることが好ましい（図３中、破線で示す。）。
【００６６】
無酸素槽４０へ返送された沈殿分離汚泥に残存するＢＯＤが脱窒用有機源として有効活用され、さらに当該汚泥が第１好気槽２０に移送されて低負荷状態で好気処理されることにより、初期吸着性能が回復された汚泥が第２好気槽５０に供給されるようになる。
【００６７】
図４には、混合槽６０を設けることなく、第１好気槽２０におけるｐＨの異常な低下を回避することができる有機性排水処理装置１００が示されている。図３に示した有機性排水処理装置１００との違いは、混合槽６０を設けずに混合槽６０の機能を発揮するような混合機構４１を無酸素槽４０に備えた点にある。
【００６８】
混合機構４１として、第１混合液経路２及び第４混合液経路５を備えたエアリフトポンプが用いられている。逆Ｕ字状の給気管の端部から気泡を供給して活性汚泥の上昇流を生起させ、給気管内部で活性汚泥と有機性排水を混合して、逆Ｕ字状の給気管に連結され第１混合液経路２として機能する送液管により混合液を第１好気槽２０に送液するとともに、逆Ｕ字状の給気管に連結され第４混合液経路５として機能する送液管により混合液を第２好気槽５０に直接送液するように構成されている。そして、第２混合液経路３を介した第１好気槽２０から無酸素槽４０への混合液の循環量を２Ｑに設定することで、脱窒反応に伴うアルカリ度の回復がなされ、第１好気槽２０におけるｐＨの異常な低下を回避している。
【００６９】
第１の実施形態と同様に、沈殿槽７０の汚泥を第１好気槽２０へ返送する汚泥返送経路６に代えて、沈殿槽７０の汚泥を無酸素槽４０へ返送する汚泥返送経路６Ａを備えることが好ましい（図４中、破線で示す。）。
【００７０】
無酸素槽４０へ返送された沈殿分離汚泥に残存するＢＯＤが脱窒用有機源として有効活用され、さらに当該汚泥が第１好気槽２０に移送されて低負荷状態で好気処理されることにより、初期吸着性能が回復された汚泥が第２好気槽５０に供給されるようになる。
【００７１】
［第３の実施形態］
図５（ａ），（ｂ）には、図１で示した生物処理槽の１系統の構成が示されている。図５（ａ），（ｂ）には、有機性排水の流入量Ｑを基準とする各部の流量が示されている。
当該有機性排水処理装置１００は、最初沈澱池１０と、脱窒処理を行なう無酸素槽４０と、処理水を膜透過液として取り出す膜分離装置３０を備え硝化処理を行なう第１好気槽２０と、上述した初期吸着処理を行なう第２好気槽または第２無酸素槽として機能が切替可能な兼用槽５０と、最終沈澱池（沈殿槽）７０を備えている。
【００７２】
さらに、無酸素槽４０へ有機性排水を供給する原水供給経路１と、無酸素槽４０から第１好気槽２０へ有機性排水と活性汚泥の混合液を送る第１混合液経路２と、兼用槽５０から沈殿槽７０へ混合液を送る第３混合液経路４と、無酸素槽４０から兼用槽５０へ混合液を送る第４混合液経路５と、第１好気槽２０から無酸素槽４０へ混合液を循環させる第２混合液経路３と、無酸素槽４０から兼用槽５０へ混合液を循環させる第７混合液経路８と、沈殿槽７０の汚泥を第１好気槽２０へ返送する汚泥返送経路６を備えている。
【００７３】
そして、第７混合液経路８を閉鎖して、兼用槽５０を初期吸着処理を行なう第２好気槽として機能させる第１運転状態と、第７混合液経路８を開放して、兼用槽５０を第２無酸素槽として機能させる第２運転状態とに切替可能に構成されている。
【００７４】
当該有機性排水処理装置１００では、図５（ａ）に示すように、有機性排水を無酸素槽４０に供給し、無酸素槽４０と第１好気槽２０との間で有機性排水と活性汚泥との混合液を循環させて硝化脱窒処理を行ないつつ、第１好気槽２０に配置された膜分離装置３０からの膜透過液を処理水として取り出すとともに、無酸素槽４０から好気処理を行なう兼用槽５０へ混合液を送液し、さらに兼用槽５０から沈殿槽７０へ混合液を送液し、沈殿槽７０からの固液分離液を処理水として取り出す第１運転状態と、図５（ｂ）に示すように、無酸素槽４０と第１好気槽２０と無酸素処理を行なう兼用槽５０との間で混合液を循環させて硝化脱窒処理を行いつつ、専ら第１好気槽２０に配置された膜分離装置３０からの膜透過液を処理水として取り出す第２運転状態とを備え、第１運転状態と第２運転状態を切り替えるように運転される。
【００７５】
有機性排水量が十分な量である場合に、兼用槽５０が初期吸着処理を行なう第２好気槽として機能する第１運転状態で処理され、無酸素槽４０に供給された有機性排水が活性汚泥とともに膜分離装置３０が配置された第１好気槽２０との間で循環されることにより硝化脱窒処理され、膜分離装置３０から混合液の液分が処理水として取り出される。
【００７６】
さらに無酸素槽４０から混合液の一部が兼用槽５０へ送液されて好気処理として初期吸着処理され、さらに沈殿槽に送られた混合液が沈澱槽で固液分離されて上澄みが処理水として取り出される。
【００７７】
有機性排水量が少ない場合に、兼用槽５０が第２無酸素槽として機能する第２運転状態で処理され、無酸素槽４０と第１好気槽２０と無酸素処理を行なう兼用槽５０との間で混合液が循環されて硝化脱窒処理を行ないつつ、専ら第１好気槽２０に配置された膜分離装置３０からの膜透過液が処理水として取り出される。従って、第２運転状態では沈殿槽７０から処理水が取り出されることはない。
【００７８】
第１運転状態では、第１の実施形態と同様に、沈殿槽７０の汚泥を第１好気槽２０へ返送する汚泥返送経路６に代えて、沈殿槽７０の汚泥を無酸素槽４０へ返送する汚泥返送経路６Ａを備えることが好ましい（図５（ａ）中、破線で示す。）。
【００７９】
無酸素槽４０へ返送された沈殿分離汚泥に残存するＢＯＤが脱窒用有機源として有効活用され、さらに当該汚泥が第１好気槽２０に移送されて低負荷状態で好気処理されることにより、初期吸着性能が回復された汚泥が第２好気槽５０に供給されるようになる。
【００８０】
［その他の実施形態］
上述した各実施形態において、第２好気槽５０または兼用槽５０から沈殿槽７０へ混合液を移送する途中または沈殿槽７０に凝集剤を添加する凝集剤添加装置８０を備えていることが好ましく、凝集剤を添加することにより処理水に対するＣＯＤや脱リン効果と、汚泥の沈澱分離効果を高めることができる。
【００８１】
図６に示すように、上述した第１の実施形態に関して、第１仕切壁２４を介して上方空間に第１好気槽２０を配置し、下方空間に無酸素槽４０を配置するように有機性排水処理装置１００を構成してもよい。無酸素槽４０が配置された敷地の上方空間に第１好気槽２０が配置されることにより、空間利用率が高まり、有機性排水処理装置の敷地を効率的に活用できるようになる。上述した第２または第３の実施形態においても、同様の構成を採用することが可能である。第２の実施形態では、第１好気槽２０の下方空間に無酸素槽４０及び混合槽６０を配置し、或いは、第１好気槽２０の下方空間に無酸素槽４０のみを配置することができる。
【００８２】
第１の実施形態と同様に、沈殿槽７０の汚泥を第１好気槽２０へ返送する汚泥返送経路６に代えて、沈殿槽７０の汚泥を無酸素槽４０へ返送する汚泥返送経路６Ａを備えることが好ましい（図６中、破線で示す。）。
【００８３】
無酸素槽４０へ返送された沈殿分離汚泥に残存するＢＯＤが脱窒用有機源として有効活用され、さらに当該汚泥が第１好気槽２０に移送されて低負荷状態で好気処理されることにより、初期吸着性能が回復された汚泥が第２好気槽５０に供給されるようになる。
【００８４】
図７には、さらに他の有機性排水処理装置１００が示されている。上述した図６の構成に加えて、第２仕切壁２６を介して無酸素槽４０の下方空間に沈殿槽７０を配置してもよく、このような構成を採用することにより、さらに、空間利用率を高めることができる。この場合、第２仕切壁２６を介して上方空間に設置された第１好気槽２０及び無酸素槽４０の側方に第２好気槽５０を配することが好ましい。
【００８５】
第１の実施形態と同様に、沈殿槽７０の汚泥を第１好気槽２０へ返送する汚泥返送経路６に代えて、沈殿槽７０の汚泥を無酸素槽４０へ返送する汚泥返送経路６Ａを備えることが好ましい（図７中、破線で示す。）。
【００８６】
無酸素槽４０へ返送された沈殿分離汚泥に残存するＢＯＤが脱窒用有機源として有効活用され、さらに当該汚泥が第１好気槽２０に移送されて低負荷状態で好気処理されることにより、初期吸着性能が回復された汚泥が第２好気槽５０に供給されるようになる。
【００８７】
図８には、図３に示した有機性排水処理装置１００で、沈殿槽７０の汚泥を無酸素槽４０へ返送する汚泥返送経路６Ａを備えて構成され、Ｔ−Ｎ除去率が９０％となるように、第１好気槽２０から無酸素槽４０への循環流量が７Ｑに設定された有機性排水処理装置１００が示されている。
【００８８】
図９（ａ）には、さらに他の有機性排水処理装置１００が示されている。図８に示したように、Ｔ−Ｎ除去率を９０％とするためには第１好気槽２０から無酸素槽４０への循環流量を７Ｑと大きな値に設定する必要があるために、第１好気槽２０と無酸素槽４０の一対に代えて循環式ＭＢＲを採用し、沈殿槽７０の汚泥を各無酸素槽４０へ返送する汚泥搬送経路を備えることで循環流量を抑えることができる。
【００８９】
図９（ｂ）に示すように、循環式ＭＢＲは、第１好気槽２０と無酸素槽４０を一対の生物処理単位とする複数対の生物処理単位が汚泥の移送方向に直列に接続され、最下流に位置する第１好気槽２０から最上流に位置する無酸素槽４０に汚泥を返送するように構成されている。
【００９０】
原水供給経路１から混合槽６０に供給された有機性排水が第８混合液経路９を介して活性汚泥とともに各無酸素槽４０へ供給され、混合液は第１混合液経路２を介して各無酸素槽４０から下流側の第１好気槽２０に供給されて好気処理された後に、第２混合液経路３を介して各第１好気槽２０か下流側の各無酸素槽４０に供給されて脱窒処理され、さらに各無酸素槽４０から第６混合液経路７を介して混合槽６０に循環供給されるように構成されている。
【００９１】
このような有機性排水処理装置１００は、処理水の窒素濃度規制が比較的緩やかな、例えばＴ−Ｎ＜１０ｍｇ／Ｌ程度の窒素濃度規制となる処理場に適用される。
【００９２】
上述した実施形態は本発明の一態様であり、該記載により本発明が限定されるものではなく、各部の具体的構成は本発明の作用効果が奏される範囲で適宜変更設計可能であることはいうまでもない。
【符号の説明】
【００９３】
１：原水供給経路
２：第１混合液経路
３：第２混合液経路
４：第３混合液経路
５：第４混合液経路
６，６Ａ：汚泥返送経路
７：第６混合液経路
８：第７混合液経路
９：第８混合液経路
１０：最初沈澱池
２０：好気槽、第１好気槽
３０：膜分離装置
４０：無酸素槽
５０：兼用槽、第２好気槽
６０：混合槽
７０：沈殿槽（最終沈澱池）
７２：ろ過手段
８０：凝集剤添加手段
９０：消毒槽
１００：有機性排水処理装置
【図１】
2020075233.tif 000003
【図２】
2020075233.tif 000004
【図３】
2020075233.tif 000005
【図４】
2020075233.tif 000006
【図５】
2020075233.tif 000007
【図６】
2020075233.tif 000008
【図７】
2020075233.tif 000009
【図８】
2020075233.tif 000010
【図９】
2020075233.tif 000011
【図１０】
2020075233.tif 000012